(57)【要約】【課題】本発明は、患者の理学療法又はリハビリテーションをモニタするためのユーザインターフェイスを含むシステムを提供することを目的としている。【解決手段】患者の関節をモニタするためのシステムが、関節付近に配置されて関節に関連する動作又は物理量を測定又は観察する複数のセンサと、センサに連結されてセンサからデータを受け取って外部装置にセンサ情報を送信する少なくとも１つの通信モジュールとを含む。このシステムは、例えばセンサから取得された情報をモニタして表示し、センサデータから可動域測定値を求め、理学療法の進展を示し、患者の部位の写真又はビデオを撮影し、疼痛スコアを取得し、理学療法中に激励を行う友人を含めるために使用できる患者装置及び臨床医装置も含む。【選択図】図１６
2020508722.tif 000002
【特許請求の範囲】
【請求項１】
患者をモニタするためのシステムであって、
ディスプレイと、カメラと、メモリと、前記ディスプレイ、前記カメラ及び前記メモリに連結されたプロセッサとを備え、前記患者上又はこの患者内に配置されたセンサユニットと通信するように構成されて準備された患者装置を有し、
前記プロセッサは、
前記患者の部位の写真又はビデオを撮影するように前記ディスプレイ上でユーザに指示するステップと、
前記写真又はビデオを撮影するためのユーザ入力を受け取った時点で前記写真又はビデオを撮影するステップと、
前記写真又はビデオをメモリに記憶するステップと、
を含む動作を実行するように構成されて準備されることを特徴とするシステム。
【請求項２】
前記動作は、前記写真又はビデオを使用して色素分析を実行して前記患者の前記部位の健康状態を評価するステップを更に含む、請求項１に記載のシステム。
【請求項３】
前記動作は、前記色素分析が前記患者の前記部位の潜在的感染を示した時に、前記患者に対して視覚的又は聴覚的警告を生成するステップを更に含む、請求項２に記載のシステム。
【請求項４】
前記動作は、前記色素分析が前記患者の前記部位の潜在的感染を示した時に、前記潜在的感染の指示を含むメッセージを臨床医装置に送信するステップを更に含む、請求項２に記載のシステム。
【請求項５】
前記動作は、前記患者の前記部位の健康状態を評価できるように前記写真又はビデオを臨床医装置に送信するステップを更に含む、請求項１に記載のシステム。
【請求項６】
前記写真又はビデオはビデオであり、前記動作は、前記ビデオを使用して運動の成果を評価するステップを更に含む、請求項１に記載のシステム。
【請求項７】
前記動作は、前記写真又はビデオ内の前記患者の四肢の位置又は動きを表現するように、前記写真又はビデオに１又は２以上の線又は角度をオーバーレイ表示するステップを更に含む、請求項１に記載のシステム。
【請求項８】
患者をモニタするためのシステムであって、
ディスプレイと、メモリと、前記ディスプレイ及び前記メモリに連結されたプロセッサとを備え、前記患者上又はこの患者内に配置されたセンサユニットと通信するように構成されて準備された患者装置を有し、
前記プロセッサは、
前記ディスプレイ上でユーザに疼痛スコアを入力するように指示するステップと、
前記疼痛スコアを臨床医装置に送信するステップと、
を含む動作を実行するように構成されて準備されることを特徴とするシステム。
【請求項９】
前記動作は、
前記ユーザによる運動の選択を受け取るステップと、
前記運動のグラフィック表現と、前記ユーザによる作動時に前記ユーザが前記運動を実行中であることを示すユーザコントロールとを前記ディスプレイ上に表示するステップと、
前記ユーザコントロールの作動時に、前記センサユニットからのセンサデータをモニタして前記運動の成果をモニタするステップと、
を更に含む、請求項８に記載のシステム。
【請求項１０】
前記動作は、前記運動の実行中に、前記実行中の運動の反復回数を表示するステップを更に含む、請求項９に記載のシステム。
【請求項１１】
前記動作は、前記運動の実行中に、前記センサデータから決定される、前記運動に関連する現在の可動域測定値又は最大達成可動域測定値のいずれかを表示するステップを更に含む、請求項９に記載のシステム。
【請求項１２】
前記動作は、
前記ユーザから運動概要を求める要求を受け取るステップと、
一定期間にわたって各運動について行われた反復回数を示す複数の運動の概要を前記ディスプレイ上に表示するステップと、
を更に含む、請求項９に記載のシステム。
【請求項１３】
前記動作は、
前記ユーザから可動域測定の進展レポートを求める要求を受け取るステップと、
一定期間にわたって取得された前記可動域測定の複数の値のグラフを前記ディスプレイ上に表示するステップと、
を更に含む、請求項９に記載のシステム。
【請求項１４】
前記動作は、前記可動域測定の目標に向けた前記患者の現在の進展を示す前記目標までの道筋の表現を前記ディスプレイ上に表示するステップを更に含む、請求項１３に記載のシステム。
【請求項１５】
患者の理学療法をモニタするためのシステムであって、
ディスプレイと、メモリと、前記ディスプレイ及び前記メモリに連結されたプロセッサとを備え、前記患者上又はこの患者内に配置されたセンサユニットと通信するように構成されて準備された患者装置を有し、
前記プロセッサは、
前記ディスプレイ上でユーザに１人又は２人以上の友人を入力するように指示するステップと、
前記１人又は２人以上の友人の各々に接続メッセージを送信するステップと、
前記１人又は２人以上の友人のうちの少なくとも１人から、前記患者が前記理学療法を継続するように促すメッセージを受け取るステップと、
を含む動作を実行するように構成されて準備されることを特徴とするシステム。
【請求項１６】
前記動作は、ユーザ入力に応答して、前記１人又は２人以上の友人のうちの少なくとも１人にメッセージを送信するステップを更に含む、請求項１５に記載のシステム。
【請求項１７】
前記動作は、ユーザ入力に応答して、前記１人又は２人以上の友人のうちの少なくとも１人に挑戦状を送信するステップを更に含む、請求項１５に記載のシステム。
【請求項１８】
前記動作は、前記１人又は２人以上の友人のうちの少なくとも１人に、前記患者による少なくとも１つの理学療法目標に向けた進展の指標を含む進展レポートを送信するステップを更に含む、請求項１５に記載のシステム。
【請求項１９】
前記動作は、前記１人又は２人以上の友人のうちの少なくとも１人に、少なくとも１つの理学療法運動の患者成果の指標を含む進展レポートを送信するステップを更に含む、請求項１５に記載のシステム。
【請求項２０】
前記進展レポートは、前記１人又は２人以上の友人のうちの少なくとも１人による前記少なくとも１つの理学療法運動の成果の指標を更に含む、請求項１９に記載のシステム。
【発明の詳細な説明】
【技術分野】
【０００１】
〔関連出願との相互参照〕
本出願は、２０１７年２月１日に出願された米国特許出願第１５／４２２３２０号に対する優先権を主張するものであり、この文献はその全体が引用により本明細書に組み入れられる。
【０００２】
本発明は、理学療法又はリハビリテーションをモニタするためのユーザインターフェイスを含む方法、システム及び装置の分野に関する。本発明は、外科手術後又は整形外科装置の埋め込み後の理学療法又はリハビリテーションをモニタするためのユーザインターフェイスを含むシステム及び方法にも関する。
【背景技術】
【０００３】
人工関節置換術は、肩、股関節、膝、足首及び手首などの関節の一般的な整形外科手術である。患者が関節の摩耗又は損傷を負った状況では、関節を骨格構造に同化できるインプラントに置換して、痛みのない動きと機能を回復することができる。一般に、外科医は、患者の関節に補綴要素を埋め込む前に、埋め込まれる補綴要素の少なくとも一部を受け取るプラットフォーム、凹部又はキャビティを形成するために、患者の自己骨の少なくとも一部を切除する。補綴要素を埋め込む過程で、筋肉及び腱を正しい位置に戻して再び付着させる必要がある。
【先行技術文献】
【特許文献】
【０００４】
【特許文献１】米国特許出願公開第１５／０７７８０９号明細書
【特許文献２】米国特許出願公開第１５／０７７７９３号明細書
【特許文献３】米国仮特許出願第６２／１３６８９２号明細書
【特許文献４】米国仮特許出願第６２／１３６９２５号明細書
【特許文献５】米国特許出願公開第１５／４２２３１２号明細書
【特許文献６】米国特許出願公開第１５／４２２２９９号明細書
【発明の概要】
【発明が解決しようとする課題】
【０００５】
患者は、この大手術から回復するために理学療法を受けなければならない。患者は、規則的に運動を行うと共に、ずれた筋肉の柔軟性及びバランスを得ようと努めなければならない。この目的は、患者に自身の可動域を広げさせることであるが、転倒又は過伸展によってインプラントの損傷及び患者の怪我につながる高いリスクも存在し得る。患者がリハビリテーションを行わず必要な可動域を達成しなければ、関節が固まった状態になり、活動的な生活スタイルを維持するのに十分な可動域を達成するためにさらなる外科手術（ＭＵＡ−麻酔下マニピュレーション）が必要になることもある。理学療法の進展を測定又はモニタすることは難しいが、患者が熱心に参加する状態を維持するために非常に有用である。
【課題を解決するための手段】
【０００６】
１つの実施形態は、患者をモニタするためのシステムである。このシステムは、患者上又は患者内に配置されたセンサユニットと通信するように構成されて準備された患者装置を備え、患者装置は、ディスプレイと、カメラと、メモリと、ディスプレイ、カメラ及びメモリに連結されたプロセッサとを含み、プロセッサは、患者の部位の写真又はビデオを撮影するようにディスプレイ上でユーザに指示するステップと、写真又はビデオを撮影するためのユーザ入力を受け取った時点で写真又はビデオを撮影するステップと、写真又はビデオをメモリに記憶するステップと、を含む動作を実行するように構成されて準備される。
【０００７】
少なくともいくつかの実施形態では、動作が、写真又はビデオを使用して色素分析を実行して患者の部位の健康状態を評価するステップをさらに含む。少なくともいくつかの実施形態では、動作が、色素分析が患者の部位の潜在的感染を示した時に、患者に対して視覚的又は聴覚的警告を生成するステップをさらに含む。少なくともいくつかの実施形態では、動作が、色素分析が患者の部位の潜在的感染を示した時に、潜在的感染の指示を含むメッセージを臨床医装置に送信するステップをさらに含む。
【０００８】
少なくともいくつかの実施形態では、動作が、患者の部位の健康状態を評価できるように写真又はビデオを臨床医装置に送信するステップをさらに含む。少なくともいくつかの実施形態では、写真又はビデオがビデオであり、動作が、ビデオを使用して運動の成果を評価するステップをさらに含む。少なくともいくつかの実施形態では、動作が、写真又はビデオ内の患者の四肢の位置又は動きを表現するように、写真又はビデオに１又は２以上の線又は角度をオーバーレイ表示するステップをさらに含む。
【０００９】
別の実施形態は、患者をモニタするためのシステムである。このシステムは、患者上又は患者内に配置されたセンサユニットと通信するように構成されて準備された患者装置を備え、患者装置は、ディスプレイと、メモリと、ディスプレイ及びメモリに連結されたプロセッサとを含み、プロセッサは、ディスプレイ上でユーザに疼痛スコアを入力するように指示するステップと、疼痛スコアを臨床医装置に送信するステップと、を含む動作を実行するように構成されて準備される。
【００１０】
少なくともいくつかの実施形態では、動作が、ユーザによる運動の選択を受け取るステップと、運動のグラフィック表現と、ユーザによる作動時にユーザが運動を実行中であることを示すユーザコントロールとをディスプレイ上に表示するステップと、ユーザコントロールの作動時に、センサユニットからのセンサデータをモニタして運動の成果をモニタするステップと、をさらに含む。少なくともいくつかの実施形態では、動作が、運動の実行中に、実行中の運動の反復回数を表示するステップをさらに含む。少なくともいくつかの実施形態では、動作が、運動の実行中に、センサデータから求められる、運動に関連する現在の可動域測定値又は最大達成可動域測定値のいずれかを表示するステップをさらに含む。
【００１１】
少なくともいくつかの実施形態では、動作が、ユーザから運動概要を求める要求を受け取るステップと、一定期間にわたって各運動について行われた反復回数を示す複数の運動の概要をディスプレイ上に表示するステップと、をさらに含む。少なくともいくつかの実施形態では、動作が、ユーザから可動域測定の進展レポートを求める要求を受け取るステップと、一定期間にわたって取得された可動域測定の複数の値のグラフをディスプレイ上に表示するステップと、をさらに含む。少なくともいくつかの実施形態では、動作が、可動域測定の目標に向けた患者の現在の進展を示す目標までの道筋の表現をディスプレイ上に表示するステップをさらに含む。
【００１２】
別の実施形態は、患者の理学療法をモニタするためのシステムである。このシステムは、患者上又は患者内に配置されたセンサユニットと通信するように構成されて準備された患者装置を備え、患者装置は、ディスプレイと、メモリと、ディスプレイ及びメモリに連結されたプロセッサとを含み、プロセッサは、ディスプレイ上でユーザに１人又は２人以上の友人を入力するように指示するステップと、１人又は２人以上の友人の各々に接続メッセージを送信するステップと、１人又は２人以上の友人のうちの少なくとも１人から、患者が理学療法を継続するように促すメッセージを受け取るステップと、を含む動作を実行するように構成されて準備される。
【００１３】
少なくともいくつかの実施形態では、動作が、ユーザ入力に応答して、１人又は２人以上の友人のうちの少なくとも１人にメッセージを送信するステップをさらに含む。少なくともいくつかの実施形態では、動作が、ユーザ入力に応答して、１人又は２人以上の友人のうちの少なくとも１人に挑戦状を送信するステップをさらに含む。少なくともいくつかの実施形態では、動作が、１人又は２人以上の友人のうちの少なくとも１人に、患者による少なくとも１つの理学療法目標に向けた進展の指標を含む進展レポートを送信するステップをさらに含む。少なくともいくつかの実施形態では、動作が、１人又は２人以上の友人のうちの少なくとも１人に、少なくとも１つの理学療法運動の患者成果の指標を含む進展レポートを送信するステップをさらに含む。少なくともいくつかの実施形態では、進展レポートが、１人又は２人以上の友人のうちの少なくとも１人による少なくとも１つの理学療法運動の成果の指標をさらに含む。
【００１４】
さらに別の実施形態は、上述したシステムのいずれかについて記載した動作を実行する方法である。さらなる実施形態は、上述したシステムのいずれかについて記載した動作を実行するための命令を含む非一時的コンピュータ可読媒体である。
【００１５】
以下の図面を参照しながら、本発明の非限定的かつ非包括的な実施形態について説明する。図面では、別途指定していない限り、様々な図全体を通じて同じ部品を同じ参照番号によって示す。
【００１６】
本発明をより良く理解できるように、以下の詳細な説明を添付図面と併せて参照する。
【図面の簡単な説明】
【００１７】
【図１】本発明による、インプラント手術後の患者のリハビリテーションをモニタするシステムの一実施形態の概略図である。
【図２】本発明による、図１のシステムにおいて使用されるコンピュータ装置の一実施形態の概略図である。
【図３Ａ】本発明による、互いに離脱したセンサユニット及びベースの一実施形態の側面斜視図である。
【図３Ｂ】本発明による、互いに係合した図３Ａのセンサユニット及びベースの側面図である。
【図３Ｃ】本発明による、互いに係合した図３Ａのセンサユニット及びベースの上面図である。
【図４Ａ】本発明による、図３Ａのセンサユニットの一実施形態の上面図である。
【図４Ｂ】本発明による、図４Ａのセンサユニットの側面図である。
【図４Ｃ】本発明による、図４Ａのセンサユニットの分解図である。
【図４Ｄ】本発明による、図４Ａのセンサユニットのハウジングの一実施形態の分解図である。
【図５】本発明による、患者又は臨床医のプロファイルを表示するモバイル装置のユーザインターフェイスの一実施形態の図である。
【図６】本発明による、センサユニットから取得された情報を表示するモバイル装置のユーザインターフェイスの一実施形態の図である。
【図７】本発明による、センサユニットから取得された情報を表示するモバイル装置のユーザインターフェイスの別の実施形態の図である。
【図８】本発明による、可動域測定値を表示するモバイル装置のユーザインターフェイスの一実施形態の図である。
【図９】本発明による、運動反復の要約を表示するモバイル装置のユーザインターフェイスの一実施形態の図である。
【図１０】本発明による、センサユニットから取得された情報を表示するモバイル装置のユーザインターフェイスの一実施形態の図である。
【図１１】本発明による、運動を説明する選択可能なビデオを表示するモバイル装置のユーザインターフェイスの一実施形態の図である。
【図１２】本発明による、運動リマインダを設定するモバイル装置のユーザインターフェイスの一実施形態の図である。
【図１３】本発明による、センサユニットから取得された情報と理学療法目標に向けた道筋とを表示するモバイル装置のユーザインターフェイスの一実施形態の図である。
【図１４】本発明による、センサユニットから取得された情報を表示するモバイル装置のユーザインターフェイスのさらに別の実施形態の図である。
【図１５】本発明による、センサユニットの患者固有の設定を設定するモバイル装置のユーザインターフェイスの一実施形態の図である。
【図１６】本発明による、写真又はビデオを撮影するためのユーザインターフェイスの一実施形態の図である。
【図１７】本発明による、センサユニットから取得された情報を表示するユーザインターフェイスの別の実施形態の図である。
【図１８】本発明による、センサユニットから取得された情報を表示するユーザインターフェイスのさらなる実施形態の図である。
【図１９】本発明による、センサユニットから取得された情報を表示するユーザインターフェイスのさらに別の実施形態の図である。
【図２０】本発明による、患者の部位の写真又はビデオ撮影方法の一実施形態のフローチャートである。
【図２１】本発明による、疼痛スコア入力方法の一実施形態のフローチャートである。
【図２２】本発明による、患者が要求する情報を表示する方法の一実施形態のフローチャートである。
【図２３】本発明による、理学療法に友人を含める方法の一実施形態のフローチャートである。
【発明を実施するための形態】
【００１８】
本発明は、理学療法又はリハビリテーションをモニタするためのユーザインターフェイスを含む方法、システム及び装置の分野に関する。本発明は、外科手術後又は整形外科装置の埋め込み後の理学療法又はリハビリテーションをモニタするためのユーザインターフェイスを含むシステム及び方法にも関する。
【００１９】
本明細書で説明するシステムは、手術後の患者の理学療法又は治癒過程又はリハビリテーションをモニタするとともに、患者の活動範囲をモニタ又は確認するために使用することができる。このシステムは、プロセッサと通信できる１又は２以上のセンサを含み、プロセッサは、患者、或いは臨床医、医師、理学療法士、看護師、ケアコーディネータ又はその他の適切な人物などの別のユーザが患者の活動、整形外科インプラント又は周囲組織の状態、或いはリハビリテーション又はその他の療法の効果を容易にモニタできるようにする情報をセンサ読み取り値及びセンサデータに基づいて生成することができる。しかしながら、本明細書で説明するシステム、装置及び方法は、他の手術、或いは外科的介入を伴わないリハビリテーション又は理学療法との関連で使用することもできると理解されるであろう。後述するセンサは、手術部位又はリハビリを施す身体部分などの、理学療法又はリハビリテーション部位の近くに配置される。
【００２０】
このシステムは、患者の組織が炎症を起こした場合、或いは理学療法又はリハビリテーション療法の有効性又はこれらの療法への適合性が不十分な場合に警告を与えることもできる。システムは、１又は２以上のセンサを備えたウェアラブル装置を含む。例えば、ウェアラブル装置上に、患者の皮膚に適用される１又は２以上のセンサを設けることができる。
【００２１】
少なくともいくつかの実施形態では、１又は２以上のセンサが、センサを含む装置上のセンサプロセッサと通信する。少なくともいくつかの実施形態では、センサプロセッサ、或いはこれとは別に、又はこれに加えてセンサが、携帯電話機、タブレット又はコンピュータなどの患者装置のプロセッサ、或いは携帯電話機、タブレット又はコンピュータなどの臨床医装置のプロセッサと通信する。
【００２２】
図１に、整形外科的置換手術後に整形外科インプラント及びリハビリテーションをモニタするシステム１００の一実施形態を示す。システム１００は、１又は２以上のセンサ１０２と、任意のセンサプロセッサ１０４と、患者装置１０６（携帯電話機、タブレット又はコンピュータなど）と、臨床医装置１０８と、ネットワーク６０とを含む。少なくともいくつかの実施形態では、１又は２以上のセンサ１０２と、好ましくはセンサプロセッサ１０４（又は複数のセンサプロセッサのうちの１つ又は２つ以上）とが、例えば患者の皮膚に適用される装置、又は患者が装着する装具又はその他の物品又は繊維製品に入れられて持ち運ばれる装置などの、患者の外部のウェアラブル装置１１２内に設けられる。或いは、センサ１０２のうちの１つ又は２つ以上と、任意にセンサプロセッサとを患者に埋め込むこともできる。いくつかの実施形態では、センサ１０２のうちの１つ又は２つ以上が埋め込まれ、センサプロセッサと、任意に１又は２以上のさらなるセンサとがウェアラブル装置内に設けられる。
【００２３】
システムの他の実施形態は、図１に示すものよりも少ない又は多くのコンポーネントを含むこともできるが、通常、システムは、（単複の）センサ１０２と、（単複の）センサと通信してセンサデータに基づいて情報を提供するプロセッサ（センサプロセッサ１０４、患者装置１０６又は臨床医装置１０８など）とを含む。図示の実施形態では、ウェアラブル装置１１２がセンサ１０２及びセンサプロセッサ１０４を含むが、ウェアラブル装置１１２の一部ではない他のセンサを含めることもできると理解されるであろう。例えば、センサプロセッサを含むこともできる別のウェアラブル装置内に１又は２以上のさらなるセンサを組み合わせることもできる。また、いくつかの実施形態では、ウェアラブル装置１０２がセンサプロセッサ１０４を含まないこともでき、或いはセンサプロセッサ１０４の能力を（例えば、センサ読み取り値を分析せずに（又は制限付きで分析して）センサ読み取り値の取得及び送信を行うように）制限することもできると理解されるであろう。
【００２４】
図１では、システムの少なくともいくつかの実施形態におけるコンポーネント間の通信を実線で示す。点線は、コンポーネント間の別の又はさらなる通信モードを示す。図１に示す通信に加え、少なくともいくつかの実施形態では、センサプロセッサ１０４又はセンサ１０２が臨床医装置と直接通信することもできる。通信は、以下に限定するわけではないが、無線通信、有線通信、光通信、超音波通信、又はこれらの組み合わせを含むことができる。通信に使用できる無線通信の非限定的な例には、衛星通信、セルラ通信、Ｂｌｕｅｔｏｏｔｈ（登録商標）、近距離無線通信（ＮＦＣ）、赤外線データ協会標準（ＩｒＤＡ）、ワイヤレスフィデリティ（ＷｉＦｉ）、及びワールドワイド・インターオペラビリティ・フォー・マイクロウェーブ・アクセス（ＷｉＭＡＸ）がある。通信に使用できる有線通信の非限定的な例には、イーサネット(登録商標)、デジタル加入者回線（ＤＳＬ）、ファイバー・トゥ・ザ・ホーム（ＦＴＴＨ）、及び基本電話サービス（ＰＯＴＳ）がある。
【００２５】
ネットワーク６０は、以下に限定するわけではないが、パーソナルエリアネットワーク（ＰＡＮ）、ローカルエリアネットワーク（ＬＡＮ）、メトロポリタンエリアネットワーク（ＭＡＮ）、ワイドエリアネットワーク（ＷＡＮ）、インターネット又はこれらのいずれかの組み合わせを含むあらゆる好適なタイプのネットワークとすることができる。少なくともいくつかの実施形態では、ネットワーク６０を迂回してコンポーネント間を直接接続することもできる。患者装置１０６又は臨床医装置１０８には、ネットワーク６０を介して、又は直接的に、サーバ又はサーバファーム、或いはメモリ記憶装置などの他の装置を接続することもできると理解されるであろう。例えば、患者装置１０６又は臨床医装置１０８には、患者の又はその他の医療情報、アプリケーション、ユーザインターフェイス又はウェブインターフェイスなどを記憶するサーバを連結して、患者装置１０６又は臨床医装置１０８がアクセスできるようにすることができる。
【００２６】
患者装置１０６及び臨床医装置１０８は、コンピュータ（例えば、ノート型コンピュータ、モバイル医療ステーション又はコンピュータ、サーバ、メインフレームコンピュータ、又はデスクトップコンピュータ）、モバイル装置（例えば、携帯電話機又はスマートホン、携帯情報端末、又はタブレット）、又は他のいずれかの好適な装置などの、様々な装置のいずれかとすることができる。少なくともいくつかの実施形態では、臨床医装置１０８を医療ステーション又は医療システムに組み込むことができる。
【００２７】
図２に、患者装置１０６又は臨床医装置１０８として使用されるコンピュータ装置２０１の一実施形態を示す。コンピュータ装置２０１は、プロセッサ２１４と、メモリ２１６と、ディスプレイ２１８と、入力装置２２０とを含む。コンピュータ装置２０１は、ユーザの局所に存在することも、或いはプロセッサ２１４又はメモリ２１６（又はその一部）の一方又は両方を含む、コンピュータの局所に存在しないコンポーネントを含むこともできる。例えば、いくつかの実施形態では、ユーザが、非局所的なプロセッサ又はメモリに接続された端末を操作することができる。
【００２８】
コンピュータ装置２０１は、ユーザの局所に存在することも、或いはユーザ又はコンピュータ装置の他のコンポーネントの局所に存在しないこともできる、１又は２以上のハードウェアプロセッサを含むあらゆる好適なプロセッサ２１４を利用することができる。プロセッサ２１４は、与えられた命令を実行するように構成される。このような命令は、本明細書で説明する方法又はプロセスのステップのうちのいずれかを含むことができる。
【００２９】
コンピュータ装置２１４には、あらゆる好適なメモリ２１６を使用することができる。メモリ２１６は、１つのタイプのコンピュータ可読媒体、すなわちコンピュータ可読記憶媒体を示す。コンピュータ可読記憶媒体は、以下に限定するわけではないが、コンピュータ可読命令、データ構造、プログラムモジュール又はその他のデータなどの情報を記憶するいずれかの方法又は技術で実装された、不揮発性、非一時的、取り外し可能及び取り外し不可能なコンピュータ可読媒体を含むことができる。コンピュータ可読記憶媒体の例としては、ＲＡＭ、ＲＯＭ、ＥＥＰＲＯＭ、フラッシュメモリ又はその他のメモリ技術、ＣＤ−ＲＯＭ、デジタル多用途ディスク（「ＤＶＤ」）又はその他の光学記憶装置、磁気カセット、磁気テープ、磁気ディスク記憶装置又はその他の磁気記憶装置、或いは所望の情報を記憶するために使用できるとともにコンピュータ装置がアクセスできる他のいずれかの媒体が挙げられる。
【００３０】
通信方法は、別のタイプのコンピュータ可読媒体、すなわち通信媒体を提供する。通常、通信媒体は、コンピュータ可読命令、データ構造、プログラムモジュール又はその他のデータを搬送波、データ信号又はその他の搬送機構などの変調データ信号内に具現化し、いずれかの情報提供媒体を含む。「変調データ信号」及び「搬送波信号」という用語は、情報、命令及びデータなどを信号内に符号化するように設定又は変更された１又は２以上の特性を有する信号を含む。一例として、通信媒体は、ツイストペア、同軸ケーブル、光ファイバ、導波管及びその他の有線媒体などの有線媒体と、音響、ＲＦ、赤外線、Ｂｌｕｅｔｏｏｔｈ（登録商標）、近距離無線通信及び他の無線媒体などの無線媒体とを含む。
【００３１】
ディスプレイ２１８は、モニタ、画面又はディスプレイなどのあらゆる好適な表示装置とすることができ、プリンタを含むこともできる。入力装置２２０は、例えばキーボード、マウス、タッチ画面、トラックボール、ジョイスティック、音声認識システム、カメラ、マイク、又はこれらのいずれかの組み合わせなどとすることができる。
【００３２】
再び図１を参照すると、センサプロセッサ１０４は、１又は２以上のハードウェアプロセッサを含むあらゆる好適なプロセッサとすることができる。センサプロセッサ１０４は、与えられた命令を実行するように構成される。センサプロセッサ１０４は、（単複の）センサからセンサデータを受け取り、患者装置１０６、ネットワーク６０、臨床医装置１０８、又はこれらのいずれかの組み合わせと通信するように構成される。任意に、センサプロセッサ１０４は、センサデータを処理又は分析することもでき、このような処理又は分析を実行するための、例えば本明細書で説明するいずれかの処理又は分析のステップを実行する命令を含む命令を記憶することができる。少なくともいくつかの実施形態では、１又は２以上のセンサ１０２の各々が、センサプロセッサ１０４の機能の一部又は全部を実行するプロセッサを含むことができる。
【００３３】
１又は２以上のセンサ１０２は、整形外科インプラント及び周囲組織をモニタし、又はインプラントが必要であったか否かにかかわらず整形外科手術後のリハビリテーションをモニタし、又は手術前に予備療法を提供し、或いはこれらのいずれかの組み合わせを行うために設けられる。本開示は、一例として整形外科的膝インプラントを使用するが、例えば肩、股関節、足首、手首又は他のいずれかの関節のためのインプラントなどの他の関節インプラント、或いは関節置換術、関節面置換術、軟組織再建術、壊死組織除去術、四肢矯正手術、靭帯置換術などを問わず、整形外科的脊椎インプラントなどの他の整形外科装置にも適用することができると理解されるであろう。
【００３４】
センサ１０２は、以下に限定するわけではないが、加速度計、磁力計、ジャイロスコープ、近接センサ、赤外線センサ、超音波センサ、サーミスタ又はその他の温度センサ、カメラ、圧電センサ又はその他の圧力センサ、ソナーセンサ、外部流体センサ、皮膚変色センサ、ｐＨセンサ又はマイクなど、或いはこれらのいずれかの組み合わせを含むあらゆる好適なタイプのものを使用することができる。少なくともいくつかの実施形態では、システム１００が、少なくとも１つ、２つ、３つ、４つ、５つ、６つ又はそれよりも多くの異なるタイプのセンサ１０２を含む。システムは、少なくとも１つ、２つ、３つ、４つ、５つ、６つ、８つ、１０個又はそれよりも多くのセンサ１０２を含むことができる。好適なセンサ、並びにその配置及び使用のさらなる例は、米国特許出願第１５／０７７８０９号及び第１５／０７７７９３号、並びに米国仮特許出願第６２／１３６８９２号及び第６２／１３６９２５号に見出すことができ、これらの文献は全て引用により本明細書に組み入れられる。
【００３５】
これらの１又は２以上のセンサ１０２を用いて、整形外科装置、周囲組織又は患者活動などの１又は２以上の態様を測定し、モニタし、又は別様に観察することができる。これらのセンサのうちの１つ又は２つ以上を用いて実行又は解釈できる観察又は測定の例には、歩数、運動の反復、関節運動（例えば、関節の旋回）の反復、実行されている運動のタイプ又はその他の動作、安定性又は安定性の欠如、屈曲角又は可動域、運動速度、皮膚温、活動後の脈拍又は脈拍プロファイル又は心拍回復時間、超音波画像、流量測定又はドップラ測定、ソナー画像、流量測定又はドップラ測定、圧力又は耐荷重測定、跛行（ｌｉｍｐ）又は身体方向（例えば、亜脱臼、姿勢、脊柱側弯）又は身体方向の変化の検出、関節への衝撃又は影響のモニタリング、睡眠プロファイル又は休息時間、歩行分析、又は体／四肢／関節配列などがある。システム１００は、これらの項目のうちの１つ又は２つ以上、或いはこれらの項目のいずれかの組み合わせを観察又は測定することができる。
【００３６】
以下では、これらの測定又は観察の一部に関するさらなる詳細を示す。１又は２以上のセンサ（例えば、加速度計、ジャイロスコープ、磁力計又は近接センサなど）は、歩数又は運動反復、或いはセンサが感じた関節の動き又はその他の動作の回数をカウントし、どのようなタイプの運動又は動作が行われているかを特定するために利用することができる。これを使用して、例えば患者の活動をモニタし、運動療法の順守性をモニタし、或いはリハビリの妨げ又は支援となり得る痛み又はその他の状態の考えられる徴候をモニタすることができる。これらのセンサデータを使用して、活動の変化又は活動の傾向をモニタすることもできる。
【００３７】
１又は２以上のセンサ（例えば、加速度計、ジャイロスコープ、磁力計又は近接センサなど）は、センサ、関節又は患者の他の身体部分の可動域、或いは関節の屈曲を感知、検出又は計算することもできる。これを使用して、例えば患者のリハビリ、患者の活動をモニタし、運動療法の順守性をモニタし、或いはリハビリの妨げ又は支援となり得る痛み又はその他の状態の考えられる徴候をモニタすることができる。これらのセンサ又はその他のセンサを使用して、整形外科装置に対する、又は整形外科装置の周囲の組織に対する衝撃又は影響をモニタすることができる。これらのセンサデータを使用して、可動域又は屈曲の変化、或いは可動域又は屈曲の傾向をモニタすることもできる。
【００３８】
別の説明例として、１又は２以上の加速度計によって関節動作からの加速度を測定することもできる。既知の距離だけ離れた加速度計間の測定された加速度の比率を使用して、装置が回転している回転中心を計算することによって、関節動作及び可動域又は屈曲を評価することができる。この情報を、上記の例で説明した目的と同じ目的で使用することができる。
【００３９】
別の説明例では、１）加速度計と、２）ジャイロスコープ又は（磁北に対する方向を示す）磁力計とを用いて、可動域、動作速度又は反復回数などを測定することができる。この情報を、上記の２つの例で説明した目的と同じ目的で使用することができる。
【００４０】
別の説明例では、加速度計、ジャイロスコープ又は磁力計などの単一のセンサを用いて、可動域、動作速度又は反復回数などを測定又は別様に観察することができる。少なくともいくつかの実施形態では、これらの測定値又はその他の観察結果が、センサデータと、例えばセンサデータのパターンの認識、又は収集されたデータ範囲の上限及び下限などに基づくセンサ又はセンサデータに関する１又は２以上の仮定とを用いて求められる。このような情報も、上記の３つの例と同様の形で使用することができる。
【００４１】
１又は２以上のセンサ（例えば、サーミスタ又は赤外線センサ）は、温度、温度変化又は温度傾向を感知、検出又は計算することができる。この温度は、皮膚温又は環境温とすることができる。これらの温度測定値を使用して、例えばリハビリ又は患者の健康の妨げとなり得る炎症、痛み又は別の状態の可能性を示すことができる。これらの温度測定値を使用して、例えば炎症を抑えて治癒を促すのに役立つアイシングが効果的に行われているかどうかをモニタすることもできる。これに加えて、又はこれとは別に、これらのセンサを使用して、脈拍、脈拍の変化、患者の脈拍傾向、脈拍プロファイル、又は（運動又はその他の労働などの）患者活動後の心拍数回復を感知、検出又は測定することもできる。
【００４２】
１又は２以上のセンサ（例えば、超音波センサ、ソナーセンサ又はカメラなど）は、粒子、粒子密度又は粒子密度の傾向を感知、検出又は計算することもできる。これらのセンサを使用して、整形外科装置の周囲組織を感知し、或いは整形外科装置又は周囲組織の摩耗又は寸法変化を検出することなどができる。超音波センサ及びソナーセンサを使用して、膝の他の部分（又は他の関節）がインプラントにどれほど接近しているかを判断することもできる。
【００４３】
１又は２以上のセンサ（例えば、圧電、ひずみゲージ、或いは他の圧力又は耐荷重センサ）は、センサ又は整形外科装置の、或いはその周囲の圧力又は負荷を感知、検出又は計算することもできる。これらのセンサデータを使用して、圧力又は耐荷重の範囲の変化、或いは圧力又は耐荷重の傾向をモニタすることができる。これらのセンサ又はその他のセンサを使用して、整形外科装置又は整形外科装置の周囲の組織に対する衝撃又は影響をモニタすることができる。圧力センサ又は耐荷重センサを使用して、整形外科インプラントの周囲の組織の腫れを検出することもできる。複数の圧力センサ又は耐荷重センサを使用して、（組織の１軸延伸によって示すことができる）屈曲及び（組織の２軸延伸によって示すことができる）腫れを検出することもできる。
【００４４】
米国特許出願第１５／０７７８０９号及び第１５／０７７７９３号、並びに米国仮特許出願第６２／１３６８９２号及び第６２／１３６９２５号には、リハビリテーションをモニタするための（埋め込み型センサの配置を含む）センサ、システム、装置及び方法の例が記載されており、これらの文献は全て引用により本明細書に組み入れられる。センサ及びその使用法のさらなる例は、いずれも２０１７年２月１日に出願された、「ウェアラブル装置を使用して整形外科インプラント及びリハビリテーションをモニタするシステム及び方法（Ｓｙｓｔｅｍｓ  ａｎｄ  Ｍｅｔｈｏｄｓ  ｕｓｉｎｇ  ａ  Ｗｅａｒａｂｌｅ  Ｄｅｖｉｃｅ  ｆｏｒ  Ｍｏｎｉｔｏｒｉｎｇ  ａｎ  Ｏｒｔｈｏｐｅｄｉｃ  Ｉｍｐｌａｎｔ  ａｎｄ  Ｒｅｈａｂｉｌｉｔａｔｉｏｎ）」という名称の米国特許出願第１５／４２２３１２号、及び「関節の理学療法及びリハビリテーションをモニタするためのシステム及び方法（Ｓｙｓｔｅｍｓ  ａｎｄ  Ｍｅｔｈｏｄｓ  ｆｏｒ  Ｍｏｎｉｔｏｒｉｎｇ  Ｐｈｙｓｉｃａｌ  Ｔｈｅｒａｐｙ  ａｎｄ  Ｒｅｈａｂｉｌｉｔａｔｉｏｎ  ｏｆ  Ｊｏｉｎｔｓ）」という名称の米国特許出願第１５／４２２２９９号に見出すことができ、これらの文献も引用により本明細書に組み入れられる。
【００４５】
センサ１０２及び任意のセンサプロセッサ１０４には、以下に限定するわけではないが、１次電池、充電式電池、蓄電コンデンサ又はその他の蓄電装置など、或いはこれらのいずれかの組み合わせを含むあらゆる好適な電源を用いて電力を供給することができる。いくつかの実施形態では、患者の身体の動きを利用してコンポーネントの電力を生成し、或いはコンポーネントに連結されたバッテリ、蓄電コンデンサ又は蓄電装置を充電する運動エネルギー電源によって電力を供給することができる。いくつかの実施形態では、バッテリ、蓄電コンデンサ又はその他の蓄電装置の代わりに（又はこれに加えて）無線電源を使用することもできる。
【００４６】
また、バッテリ、蓄電コンデンサ又はその他の蓄電装置を壁コンセントなどの電源から充電するための充電ポートを設けることもできる。これとは別に、又はこれに加えて、無線充電システム及び方法を使用することもできる。いくつかの実施形態では、コンポーネント、又はコンポーネントに関連する蓄電装置に電力を供給する方法は複数存在することができると理解されるであろう。センサ及び任意のセンサプロセッサが全て同じ電源に連結することもでき、或いはセンサの一部（又は全てのセンサ）及びセンサプロセッサが個別の電源を有することもできる。
【００４７】
少なくともいくつかの実施形態では、センサ及び任意のセンサプロセッサが、測定、モニタ、又は別様に観察を行うために常時作動することができる。他の実施形態では、１又は２以上のセンサ及び任意のセンサプロセッサが、測定、モニタ、又は別様に観察を行うために（例えば１５秒又は３０秒、或いは１分、５分、１０分、１５分又は３０分、或いは１時間、２時間、３時間、４時間、６時間、７時間又は２４時間の周期で）定期的に又はランダムに作動することができる。任意に、この周期はプログラム可能とすることができる。また、この周期は、１又は２以上のセンサからのデータに基づいて任意に変更することもできる。さらに他の実施形態では、センサモジュール、患者装置、臨床医装置又はその他の装置が１又は２以上のセンサ及び任意のセンサプロセッサを手動又は自動で作動させることもできる。少なくともいくつかの実施形態では、センサ及び任意のセンサプロセッサが、異なる（連続的な、定期的な、ランダムな又は手動的な）作動スケジュールを有することができる。例えば、温度を測定するセンサは定期的に作動させ、歩数又は関節の動きを測定するセンサは連続的に作動させ、可動域を測定するセンサは、患者がリハビリ運動を行う際にウェアラブル装置、患者装置又は臨床医装置によって手動で作動させることができる。
【００４８】
本明細書では、整形外科的膝インプラント又はその他の膝手術を参照しながらシステム及び方法について説明する。以下に限定するわけではないが、指関節、手首関節、肘関節、肩関節、股関節、足首関節又はつま先関節を含む他の関節にも同様のシステム及び方法を使用することができる。これらのシステム及び方法は、限定するわけではないが、靭帯又は骨折手術の治療を含む他の治療に関連するリハビリテーションを含むいずれかの理由で理学療法をモニタするために使用することができる。
【００４９】
図３Ａ〜図３Ｃに、センサユニット３２２及びベース３２４を含むウェアラブル装置３１２の一実施形態を示す。図３Ａに示すように、センサユニット３２２はベース３２４から取り外すことができる。図３Ｂ及び図３Ｃに示すように、ウェアラブル装置３１２は患者の皮膚上に配置され、ベース３２４が皮膚に付着する。
【００５０】
ベース３２４は、可撓性収容シェル３２６と、磁石３２８と、温度センサのための任意の開口部３３０と、任意のタブ３３２と、シェルの底面３３４に配置された接着剤と、シェル上に配置された任意の磁石ホルダ３３６とを含む。センサユニット３２２をベース３２４に取り付けると、ベース３２４の磁石３２８がセンサユニット３２２内の同様の磁石３５４（図３Ｃ）に磁気的に付着する。磁石３２８、３５４は、通常の活動、運動及びその他の理学療法中に、患者又は他の人物がベースからセンサユニットを離脱させない限りベース３２４に対するセンサユニットの付着を維持するように意図される。任意に、磁石ホルダ３３６は、磁石３２８（全体又は周辺部のみ）を収めて磁石をシェル３２６に固着させる。
【００５１】
少なくともいくつかの実施形態では、ベース３２４のシェル３２６が、通常の活動中又は理学療法的運動中に患者が動いた時に患者の皮膚に付着できるほど十分な可撓性を有する。シェルは、限定するわけではないが、シリコーン又はポリウレタンなどの可撓性プラスチックを含むあらゆる好適な材料で形成することができる。
【００５２】
シェル３２６は、センサユニット３２２を取り外し可能に把持して、ベース３２４に対するセンサユニットの付着をさらに維持することもできる。図示の実施形態では、シェル３２６が収容キャビティ３３８を定め、収容キャビティ３３８の周囲の側壁３４０と、側壁の周囲のリム３４２とを有する。動作時には、図３Ｂ及び図３Ｃに示すように、シェル３２６がセンサユニット３２２の一部を受け取る。いくつかの実施形態では、側壁３４０又はリム３４２を、センサユニット３２２の一部がキャビティ３３８内に受け取られる時に拡張し、受け取られたセンサユニット３２２の部分の周辺部をその後に圧迫するように弾性的に柔軟なものとすることができる。ベース３２４の少なくともリム３４２又は側壁３４０（又はこれらの両方）は、付着又は圧迫など、或いはこれらのいずれかの組み合わせによってセンサユニット３２２を把持する材料で形成されることが好ましい。少なくともいくつかの実施形態では、センサユニット３２２が、ベース３２４に対するセンサユニットの付着の維持をさらに容易にする、リム３４２を受け取ることができる溝３９０を有することができる。少なくともいくつかの実施形態では、リム３４２から側壁３４０が外向き及び下向きに傾斜して、リムの下方にアンダーカット領域を形成する。同様に、センサユニット３２２にも、センサユニットとベースとの間の係合の維持をさらに容易にする、ベース３２４のリム３４２の下方のアンダーカット内に収まる傾斜したハウジングを形成することができる。これらの磁石（又は、磁石及び磁気的に引き付けられる材料）に加えて、又はその代わりに、他のいずれかの好適なタイプの機械的締結具を用いてセンサユニット３２２をベース３２２に固定することもできると認識されるであろう。
【００５３】
接着剤は、ベース３２４に塗布することも、或いは基材の両側に配置されて基材の片側をベース３２４に付着させる接着剤とすることもできる。接着剤は、耐水性であるとともに汗との接触によって付着性を失わないように選択されることが好ましい。少なくともいくつかの実施形態では、ベース３２４、又はベース上の接着剤が、接着剤の交換又は再塗布までに通常の使用条件下で少なくとも１日、２日、３日、５日、７日、１０日間、或いは２週間、３週間、４週間又はそれ以上にわたって使用されるように意図される。少なくともいくつかの実施形態では、接着剤が、ユーザがシャワーを浴びる際にも皮膚への付着を維持するように選択される。少なくともいくつかの実施形態では、接着剤が、ユーザが入浴する際、プールで泳ぐ際、或いはジャグジー、温水浴槽又はリハビリプール内で座る際にも皮膚への付着を維持するように選択される。
【００５４】
任意に、ベース３２４は、シェル３２６に対するいずれかの好適な位置に配置されたタブ３３２を含む。タブ３３２は、タブ３３２をつまんで押し引きしてシェル３２６を変形させてセンサユニットを解放することによって、ベース３２４からのセンサユニット３２２の取り外しを容易にすることができる。センサユニット３２２を離脱させるためのタブ３３２の操作は、患者の皮膚に対するベース３２４の付着を維持しながら実行できることが好ましい。いくつかの実施形態では、タブ３３２の操作によって、センサユニット３２２とベース３２４との係合を容易にすることもできる。
【００５５】
図４Ａ〜図４Ｃには、センサユニット３２２の一実施形態を示す。図示のセンサユニット３２２は、上側ハウジング３５０と、下側ハウジング３５２と、磁石３５４と、電子機器アセンブリ３５６と、電源３５８と、発光装置３６０と、接着剤３６２、３６４とを含む。また、いくつかの実施形態では、図４Ｄに示すように、上側ハウジング３５０が、メインハウジング３６６と把持要素３６８とを含むことができる。いくつかの実施形態では、センサユニット３２２が、図４Ａ〜図４Ｄに示すコンポーネントよりも多くの又は少ないコンポーネントを含むことができる。
【００５６】
上側ハウジング３５０及び下側ハウジング３５２は、少なくとも電子機器アセンブリ３５６と電源３５８とが内部に存在するキャビティを形成する。上側ハウジング３５０及び下側ハウジング３５２は、金属又はプラスチック材料（好ましくは、剛性プラスチック材料）、或いはこれらのいずれかの組み合わせなどのあらゆる好適な材料で形成することができる。少なくともいくつかの実施形態では、上側ハウジング３５０及び下側ハウジング３５２、並びに上側ハウジングと下側ハウジングとの接合部が、水、汗、雨及びその他の流体がハウジング内に侵入するのを抑えるように耐水性である。少なくともいくつかの実施形態では、センサユニット３２２が、患者がセンサユニットを覆わずにシャワーを浴びることができるほど十分な耐水性を有する。少なくともいくつかの実施形態では、センサユニット３２２が、患者がセンサユニットを覆わずに入浴したり又は泳いだりできるほど十分な耐水性を有する。
【００５７】
任意の把持要素３６８は、把持要素の少なくとも一部に粗面又は別様な非平滑面を有することができる。この非平滑面は、特にセンサユニットをベース３２４に対して係合／離脱させるためのセンサユニット３２２の把持を容易にする。図示の実施形態では、把持要素３６８が、メインハウジング３６６にオーバモールド、接着又は別様に取り付けられた独立要素である。把持要素３６８は、シリコーン又はポリウレタンなどの、メインハウジング３６６よりも高可撓性の異なる材料で形成することができる。他の実施形態では、把持要素３６８が、メインハウジングの表面の少なくとも一部を粗面化又は別様に非平滑化することによってメインハウジング３６６の一部として形成される。
【００５８】
磁石３５４は、ベース３２４の磁石３２８に磁気的に結合するように配置される。いくつかの実施形態では、磁石３５４、３２８の一方を磁気的に引き付けられる材料に置き換え、この材料が他方の磁石３５４、３２８に結合して、ベース３２４をセンサユニット３２２に磁気的に結合することができる。図示の実施形態では、磁石３５４が、基材の両側に配置された接着剤層又は接着剤とすることができる接着剤３６４によって下側ハウジングに取り付けられる。他の実施形態では、磁石３５４を他のいずれかの好適な方法によって下側ハウジング３５２に取り付けることができ、或いは上側ハウジング３５０と下側ハウジング３５２とによって形成されるキャビティ内に配置することができる。
【００５９】
電源３５８は、あらゆる好適な電源とすることができる。例えば、電源３５８は、通常の使用条件下で少なくとも７日、１０日、２０日、３０日、６０日、９０日、１００日、７０日、１８０日又はこれを上回る予想寿命を有することができる１次電池（例えば、バッテリ）とすることができる。いくつかの実施形態では、１次電池を交換可能とすることができる。いくつかの実施形態では、電源３５８を、例えば再充電ポート又は誘導性再充電装置（誘導マット又はスリーブなど）を用いて、或いはＷｉＦｉ、超音波充電、又は他のいずれかの好適な再充電方法を用いて再充電することができる。いくつかの実施形態では、１次電池（例えば、バッテリ）を、ベース３２４の磁石３２８が磁気的に結合できる磁気的吸引材料とすることができる。
【００６０】
電子機器アセンブリ３５６は、センサユニット３２２の動作に適したあらゆるコンポーネントを含むことができる。図示の実施形態では、電子機器アセンブリ３５６が、回路基板３６８と、センサプロセッサ３０４と、温度センサ３７０と、加速度計３７２と、少なくとも１つのＬＥＤ３７４と、通信装置３７６と、磁気スイッチ３７８とを含む。回路基板３６８は、接着剤３６２によって下側ハウジング３５２に結合することができる。回路基板又は他のコンポーネントは、他の接着剤（図示せず）によって上側ハウジング３５０に結合することもできる。
【００６１】
センサプロセッサ３０４は、上述したセンサプロセッサ１０４と同様のものとすることができ、センサプロセッサ１０４よりも多くの又は少ない能力を有することができる。いくつかの実施形態では、センサプロセッサ３０４が、センサデータの分析又は部分的な分析を行うための分析アルゴリズムを含むことができる。他の実施形態では、センサプロセッサ３０４を、主にセンサデータの受信、記憶及び送信を行うように設計することができる。
【００６２】
図示のセンサユニット３２２は、温度センサ３７０及び加速度計３７２を含むが、上述したように、他の実施形態は、さらに多くの又は異なるセンサをあらゆる好適な組み合わせで含むことができる。図示の実施形態では、温度センサ３７０が、回路基板３６８から離れて下側ハウジング３５２の開口部３６６を通じて延びるサーミスタである。センサユニット３２２がベース３２４に係合すると、温度センサ３７０の一部がベース３２４の開口部３３０を通じて延びることにより、温度センサ３７０が患者の皮膚に曝されて患者の皮膚に接触できるようになる。
【００６３】
上述したように、通信装置３７６は、センサプロセッサ３０４と共に動作して、患者装置又は臨床医装置、或いは他の装置と通信する。以下に限定するわけではないが、ＷｉＦｉ、Ｂｌｕｅｔｏｏｔｈ（登録商標）、近距離無線通信、赤外線、無線周波数、音響、光学などを含むあらゆる好適な通信方法又はプロトコルを使用することができる。
【００６４】
いくつかの実施形態では、電子機器アセンブリ３５６が、ベース３２４の磁石３２８の付近に配置された時に作動してセンサユニット３２２を作動モードに入れるようにセンサプロセッサ３０４に連結された、リードスイッチ（ｒｅｅｄ  ｓｗｉｔｃｈ）などの磁気スイッチ３７８も含む。少なくともいくつかの実施形態では、ベース３２４からセンサユニット３２２を取り外すと、磁気スイッチが作動してセンサを非作動モード又は待機モードに入れる。これとは別に、又はこれに加えて、センサユニット３２２は、センサを作動モード、或いは非作動モード又は待機モードに入れるための、或いはモードを切り換えるための、或いはセンサユニットをオン又はオフにするための、ボタン、機械スイッチ又はその他の機構を含むこともできる。また、これとは別に、又はこれに加えて、センサユニット３２２は、患者装置又は臨床医装置、或いはセンサユニット３２２と通信する他の装置からの信号を用いてこれらのモードのうちの１つに設定する（又はモードを切り換える）こともできる。少なくともいくつかの実施形態では、センサユニット３２２が、非作動モード又は待機モードにおいて（患者装置又は臨床医装置などの）外部ソースから信号を受け取り続けることができる。少なくともいくつかの実施形態では、センサユニット３２２が、非作動モード又は待機モードにおいて内部クロックも維持する。
【００６５】
少なくとも１つのＬＥＤ３７４は、発光装置３６０に連結されて発光装置に光を供給する。少なくともいくつかの実施形態では、発光装置３６０が、発光体３８０と、ＬＥＤ（単複の）から発光体に光を導く光導体３８２とを含む。発光装置３６０は、ユーザ又は患者に装置の動作指標を提供する。例えば、センサユニット３２２が動作している時又は作動モードにある時には発光装置３６０が点灯することができる。いくつかの実施形態では、発光装置が発光する光の色が、現在センサユニットが入っているモード（作動又は非作動／待機）、或いはセンサユニットが実行している動作（例えば、送信、感知、非感知、或いは患者装置又は臨床医装置との同期など）を示すことができる。いくつかの実施形態では、色の代わりに、又は色に加えて、光の点滅又は光の輝度を用いてモード又は動作を示すこともできる。一例として、青色光の点滅は患者装置又は臨床医装置との同期を示し、緑色光は作動モードを示し、光っていない時には非作動／待機モードを示すことができる。
【００６６】
米国特許出願第１５／０７７８０９号及び第１５／０７７７９３号、並びに米国許仮出願第６２／１３６８９２号及び第６２／１３６９２５号には、本明細書で説明するウェアラブル装置及びセンサユニットに組み込むことができるさらなる特徴及び装置が記載されており、これらの文献は全て引用により本明細書に組み入れられる。これらの特許出願には、本明細書で説明する方法及びシステムにおいて使用できる他のウェアラブル装置又は埋め込み装置も記載されている。
【００６７】
いくつかの実施形態では、第２のセンサユニットを使用することができる。例えば、第２のセンサユニットは、同じ脚上又は脚内の関節の反対側に配置することができる。別の例として、第２のセンサユニットは、跛行又はその他の歩行障害の検出又は観察で使用できるように他方の脚に配置することも、或いは体の向きを検出又は観察できるように胴体に配置することもできる。また、例えば複数の関節又は椎骨置換物を含む２又は３以上の置換物が体内に埋め込まれている時に第２のセンサユニット（又はさらなるセンサユニット）を使用して、例えば亜脱臼、姿勢の変化又は不備、或いは脊椎側弯などを検出又は観察することもできる。
【００６８】
これらの２つのセンサユニットは、任意に互いに通信又は同期することができる。少なくともいくつかの実施形態では、２つのセンサユニットが互いに同期して、それぞれが空間内のどこに存在するか、並びに距離及び配向の観点から互いの位置を知ることができる。一例として、２つのセンサユニットは、患者装置又は臨床医装置を使用して自機の位置を三角測量することができる。少なくともいくつかの実施形態では、一方のセンサユニットがそのベースから置換又は除去された場合、患者装置又は他方のセンサユニットに通知が行われる。センサユニットが再びベースに取り付けられ、又は新たなセンサユニットがベースに取り付けられると、システムは、他方のセンサユニットに対する新たなセンサユニットの位置又は距離を求めることができる。
【００６９】
２つのセンサユニット内のセンサは、屈曲角、可動域の測定、ベクトル、角度、光線、平面又は距離の計算などを行うために使用することができる。２つのセンサユニット上の温度センサは、身体の２つの部分間の温度差を求めるために使用することができる。２つのセンサユニットのセンサは、理学療法又はリハビリテーション中に患者が可動域の動きの限界を超えている場合に患者に信号を送信するために使用できる角度又はその他の情報を計算するために使用することができる。
【００７０】
上述したように、センサプロセッサ又はセンサは、患者装置又は臨床医装置と通信して、センサデータ、又はセンサデータから導出された情報を提供することができる。患者装置は、専用装置とすることも、或いはスマートホン、タブレット、ラップトップ又はデスクトップコンピュータ上のアプリケーション、ウェブ又はクラウドアプリケーション、又は他のいずれかの好適な構成とすることもできる。埋め込み型又はウェアラブルセンサユニットと患者装置又は臨床医装置との間の通信は、所定の時点（例えば、３０分毎、１時間毎又は１日１回）に行うことができる。このようにして、センサユニットは、患者装置又は臨床医装置と同期することができる。同様に、患者装置も、臨床医装置と定期的に同期することができる。いくつかの実施形態では、センサユニット又は患者装置が（温度の低下又は上昇などの）警告を必要とする状況を検出した場合、センサユニット又は患者装置は、素早く警告を与えるために患者装置又は臨床医装置とそれぞれ通信する（又は通信しようと試みる）ことができる。
【００７１】
これとは別に、又はこれに加えて、センサユニットと患者装置又は臨床医装置との間の通信は、定期的又はほぼ定期的（例えば、１秒毎、５秒毎、１０秒毎、３０秒毎又は６０秒毎に１回）とすることもできる。例えば、患者が運動を実行中であるとセンサユニットが判断した場合、或いは患者が運動を開始するつもりである旨、又は別様にセンサユニットと患者装置との通信又は同期を望んでいる旨を示す患者装置又はセンサユニット上のコントロールを患者が手動で作動させた場合には、定期的又はほぼ定期的な通信を確立することができる。
【００７２】
図５〜図１６は、患者装置又は臨床医装置のアプリケーション又はユーザインターフェイスの一実施形態のスクリーンショットである。図示のアプリケーション又はユーザインターフェイスは、スマートホン又はタブレットなどのモバイル装置にとって特に有用であるが、デスクトップ又はラップトップコンピュータなどの他の装置と共に使用することもできる。図５には、アプリケーション又はユーザインターフェイスの患者又は臨床医プロファイルの一実施形態を示す。このページの要素は、以下に限定するわけではないが、患者又は臨床医情報、ウェアラブル装置を患者装置又は臨床医装置と同期又は別様に連結できるように、ウェアラブル装置の識別番号又はその他の識別情報を入力するためのコントロール、パスワードを入力する又は変更し、或いはアプリケーション設定への入力又はアクセスを行うためのコントロール、較正プログラムにアクセスしてウェアラブル装置を較正するためのコントロール、或いは１又は２以上の他の特徴又はページにアクセスするためのコントロールなどを含むことができる。この又は別のページに提示できる他の情報は、以下に限定するわけではないが、アカウント作成又はアカウントログインのためのコントロール、或いはウェアラブル装置のステータスの指示、又はヘルプ情報、ＦＡＱ、患者の皮膚にウェアラブル装置を適用する方法、手術創のケア方法、特定の運動の実行方法、或いはウェアラブル装置のプログラム又は操作方法に関する指示を行うための写真、ビデオ又はテキストにアクセスするためのコントロールを含むことができる。
【００７３】
図６には、部分５９２に示すような１日当たりの歩数（又は運動の反復回数など）及び温度測定値などの情報を提供するユーザインターフェイス又はアプリケーションの別のページを示す。図６に示すように、ユーザインターフェイス５９０は、毎時歩数などのデータのグラフを示す部分５９４を含むこともできる。図示のユーザインターフェイスでは、ユーザが、（「ＲＯＭ」として表される）運動履歴、温度又は温度傾向、及びセンサモジュールへの影響又は衝撃回数などの他のチャートから選択を行うこともできる。上述したセンサからの他の測定値又は観察結果をグラフ化することもできると理解されるであろう。少なくともいくつかの実施形態では、ユーザが、例えば分、時間、日又は週などの、グラフのデータ表示期間を選択することもできる。
【００７４】
このユーザインターフェイスは、患者の活動及び進展をモニタする上で有用となり得る。部分５９４のグラフは、患者の運動履歴及び進展を示すために有用となり得る。いくつかの実施形態では、ユーザが、このユーザインターフェイスによって、例えば特定の期間（例えば、１時間、２時間、４時間、６時間又は７時間、或いは１日又は１週間）にわたる歩数又は運動の反復回数などの目標を設定することができる。ユーザインターフェイスは、これらの目標の達成に向けた現在の状況を表示することもできる。ユーザインターフェイスは、例えば最大歩数又は最大運動反復回数、温度読み取り値の上昇、影響又は衝撃回数の増大などの重要な事象を強調表示することもできる。ユーザインターフェイスは、目標の達成を強調表示することもできる。
【００７５】
図７には、リハビリテーション又は理学療法をモニタするために追跡できる特定の患者測定値に関連する情報を表示するユーザインターフェイス又はアプリケーションの別のページを示す。図示のページでは、患者測定値が、患者の膝に関する屈曲及び伸展である。これらの患者測定値は、限定するわけではないが、屈曲及び伸展などの可動域測定値を含むことができる。このページは、これら測定の進展を追跡するチャート５９６も示す。進展は、毎時、毎日、毎週、又は他のいずれか期間にわたって追跡することができる。いくつかの実施形態では、ユーザが、チャートに示される期間をユーザインターフェイス又はアプリケーションによって選択又は変更することができる。図７のページは、運動完了の割合、皮膚温又は歩数などの他の測定に関する情報も提供する。
【００７６】
図８には、ユーザインターフェイス又はアプリケーションに特定の測定値を計算し又は別様に求めるように指示することができる別のページを示す。図示の例では、測定値が大腿骨角度である。
【００７７】
図９には、ユーザインターフェイス又はアプリケーションが日々の運動プログラムを追跡する別のページを示す。図示の実施形態では、運動が、座位持ち上げ、ヒールスライド（股関節及び膝の屈曲）、下肢伸展拳上及びニートゥチェストである。他の運動としては、以下に限定するわけではないが、立位リフト、足首ポンプ、足首サークル、大腿スクイーズ（四頭筋セット）、臥位キック（短弧四頭筋）、膝曲げ（座位膝屈曲）、長時間膝ストレッチ、座位キック（長弧四頭筋）、膝伸展ストレッチ、膝ダングリング／揺動、ハムストリングセット（ヒールディグ）、臀部スクイーズ（臀部セット）、又はウォーキングなどを挙げることができる。これらの運動は、膝のリハビリテーションを対象とするものである。当然ながら、他の関節又は身体領域のリハビリテーション又は理学療法は、異なる運動セットを含むことができる。また、このページは、患者が実行すべき各反復セット（この場合は３セット）の完了率も示す。
【００７８】
図１０には、１つの運動を含むさらに別のページを示す。このページは、運動（この例では、屈曲及び伸展）に関連する現在の測定値を示す。このページは、運動の実行方法も示し、患者が運動の開始を指示するためのコントロールを含むことができる。いくつかの実施形態では、このページが、患者が運動を行う際の反復回数（又は反復目標を達成するためにさらに必要な反復回数）を指示することもできる。このページは、運動に基づく患者測定値（例えば、最新の反復の現在の測定値、現在の反復セットの平均測定値、又は反復セットの最大測定値）、及び測定値目標を示すこともできる。このページは、運動目標のどの部分が満たされたかを示すバーなどを含むメータを含むこともできる。（バーなどの）指示は、可動域又はその他の治療目標のどの部分が満たされたかを示すこともできる。いくつかの実施形態では、このページが、患者の意欲を引き起こすために可動域目標までの平均患者時間などを表示することもできる。
【００７９】
図１１には、患者に運動の実行方法を示すことができるビデオにアクセスするためのコントロールを含むページを示す。図１２には、患者が運動実行のリマインダを設定することができるページを示す。患者は、リマインダの時間を設定できるとともに、患者に指定時間に運動するようにリマインドする視覚的又は聴覚的アラームを設定することもできる。
【００８０】
図１３には、患者の理学療法又はリハビリテーションがどれほど進展したかを表示するページを示す。この表示に含まれる距離及びマイルストンは、リハビリテーションの時間（例えば、日又は週）、最終的な身体測定目標に向けた身体測定値（例えば、屈曲又は伸展）、完了した反復の回数、或いは運動目標に向けた１又は２以上の運動の完了などに基づくことができる。図１３に示すように、このページは、（図７と同様の）測定値のグラフ又は反復回数、或いは他のいずれかの関連情報のグラフを含むこともできる。
【００８１】
図１４には、運動又はその他の目標を完了した患者数又はその割合、特定の可動域又はその他の測定値目標を達した患者数又はその割合などの、患者群に関する情報を表示する臨床医装置のページを示す。
【００８２】
図１５には、患者についての設定を入力又は変更できる患者装置又は臨床医装置のページを示す。このような設定は、例えばどの運動を実行すべきであるか、各運動の反復回数、各運動の１日の反復セット数、１日の歩数を含むことができる。このページは、これらの設定の変更を許可するためのコントロールを含むことができる。また、図１５に示すように、これらの設定を特定のリハビリテーション又は理学療法段階に関連付けることもできる。このページでは、異なる段階を切り換えて、その段階の設定の確認、入力又は変更を行うことができる。患者装置又は臨床医装置の別のページは、患者が達成した実際の結果を表示して、その患者の入力された設定又は目標と比較することができる。
【００８３】
図２２に、患者によって要求された情報を表示する方法の一実施形態を示す。ステップ２２０２において、患者装置が、運動又はその他の情報を表示するための入力を患者から受け取る。ステップ２２０４において、要求された情報を患者装置が表示する。例えば、要求される情報は、ユーザによる作動時にユーザが運動を実行していることを示す運動のグラフィック表現及びユーザコントロールとすることができる。図１０に、このような要求される情報の一例を示す。要求される情報は、実行中の運動の反復回数、又は一定期間にわたって行われた各運動の反復回数を示す複数の運動の要約とすることができる。図７、図９、図１３及び図１４に、このような要求される情報の例を示す。要求される情報は、可動域測定の進展レポート、又は一定期間にわたって取得された可動域測定値のグラフとすることもできる。図７、図１３及び図１４に、このような要求される情報の例を示す。要求される情報は、例えば図１３に示すような、可動域測定値の目標に向けた患者の現在の進展を示す、その目標まで道筋の表現とすることもできる。
【００８４】
図１６には、患者装置又はその他の装置のカメラを使用して患者の膝又はその他の創傷部位又は理学療法部位の写真又はビデオを撮るように患者に指示する別のページを示す。このページは、写真又はビデオの構成方法をユーザに指示することができる。少なくともいくつかの実施形態では、これらの写真又はビデオを、ネットワーク（図１を参照）を介して又は他の方法によって臨床医装置又はその他の装置に送信することができる。臨床医は、これらの写真又はビデオを使用して創傷部位又は理学療法部位を評価することができる。いくつかの実施形態では、患者装置が、運動実行中の患者のビデオを撮るように要求することができる。このビデオを患者装置又は臨床医装置に提供して、運動成果の評価又は観察を行うことができる。例えば、臨床医は、患者が正しく運動を行っているかどうかを評価し、或いは運動の観察によって理学療法又はリハビリテーションの進展を評価することができる。
【００８５】
いくつかの実施形態では、患者装置が、写真又はビデオを使用して膝の色素分析又はその他の創傷分析を実行するように構成されて準備される。例えば、患者装置は、創傷部位の皮膚色素を創傷部位近くの皮膚色素と比較して、感染（例えば、表在性創傷感染又は深部創傷感染）、発疹、変色又はその他の問題を識別することができる。少なくともいくつかの実施形態では、色素分析又はその他の創傷分析を皮膚温情報と組み合わせて、感染（例えば、表在性創傷感染又は深部創傷感染）、発疹、変色又はその他の問題を評価することができる。分析によって潜在的又は実際的な問題が示された場合、患者装置は、患者に視覚的又は聴覚的警告を与えて臨床医装置に警告を送信することもできる。他の実施形態では、患者装置の代わりに（又は患者装置に加えて）、臨床医装置又はその他の装置が（皮膚温情報の有無にかかわらず）色素分析又はその他の創傷分析を実行することもできる。患者装置又は臨床医装置は、写真又はビデオを評価するためのホワイトバランス又は光補正アルゴリズムを含むことができる。患者装置は、写真又はビデオの光及びその他の側面の較正を容易にする較正ツールを含むこともできる。
【００８６】
いくつかの実施形態では、患者装置が、写真又はビデオを撮る代わりに、又はこれに加えて、患者が見るためにカメラを向けている領域を表示することもできる。この表示領域、或いは写真又はビデオは、患者の解剖学的構造に対応する線又は図形をオーバーレイ表示するように変更することができる。これらの線又は図形は、患者の脚又はその他の身体部分が動くにつれて移動することができる。いくつかの実施形態では、移動中に屈曲又は伸展、或いはその他の可動域測定値などの患者測定値を計算して患者装置に表示し、患者の四肢が動くにつれて変化させることができる。
【００８７】
図２０に、患者の部位の写真又はビデオ撮影方法の一実施形態を示す。ステップ２００２において、患者装置（或いは、臨床医装置、その他の装置又は人物）が、患者に（理学療法部位、手術部位又は創傷部位などの）部位の写真又はビデオを撮るように指示する。ステップ２００４において、患者が、患者装置のカメラ（又は別の装置のカメラ）を用いて写真又はビデオを撮影して保存する。いくつかの実施形態では、任意のステップ２００６において、写真又はビデオを臨床医装置又はその他の装置に送信する。ステップ２００８において、写真又はビデオの分析を実行することができる。分析は、患者装置、臨床医装置又は他のいずれかの好適な装置が実行することができる。例えば、色素分析、或いは運動又は可動域測定に関する分析を実行することができる。いくつかの実施形態では、分析に基づいて、写真又はビデオに線又は角度などのグラフィック表示を重ね合わせることができる。
【００８８】
患者装置、ユーザインターフェイス又はアプリケーションは、他の特徴を含むこともできる。例えば、患者装置、ユーザインターフェイス又はアプリケーションは、患者が自身の病院での体験、リハビリ中の体験、リハビリ過程中に患者料金をどのように関連付けたか、或いはウェアラブル装置又はその他の治療面を家族又は友人に推奨するかどうか、などに関する情報又は評価を入力するためのコントロールを含むことができる。患者装置、ユーザインターフェイス又はアプリケーションは、痛み又はその他の臨床面に関する評価を入力するためのコントロールを含むこともできる。例えば、患者は、装置に設けられたスケールに基づいて疼痛スコアを入力することができる。患者、臨床医又は他の人物が入力できる他のスコアは、Ｋｎｅｅ  Ｓｏｃｉｅｔｙスコア、Ｎｅｗ  Ｋｎｅｅ  Ｓｃｉｅｔｙスコア、他の学会のスコア、ＫＯＳＳ又はＰＲＯＭ（患者報告転帰尺度（ｐａｔｉｅｎｔ  ｒｅｐｏｒｔｅｄ  ｏｕｔｃｏｍｅ  ｍｅａｓｕｒｅｍｅｎｔｓ））、オックスフォード膝スコア又はＷｏｍａｃｋなどのスコア、或いは他のいずれかの好適なスコア又は評定に基づくことができる。
【００８９】
図２１に、疼痛スコアを入力する方法の一実施形態を示す。ステップ２１０２において、患者装置が、ユーザに疼痛スコアを入力するように指示して疼痛スコアを受け取る。ステップ２１０４において、疼痛スコアを臨床医装置又はその他の装置に送信する。
【００９０】
患者装置、ユーザインターフェイス又はアプリケーションは、友人の追加、友人ネットワークの形成、友人へのメッセージ送信、友人又は他の人物への進展状況の更新又はその他の運動情報の送信などのためのコントロールを含むことができる。友人の何人かは他の患者であるかもしれず、患者装置、ユーザインターフェイス、又はアプリケーションは、友人との進展の比較を表示し、友人への挑戦状の発行を可能にし、友人に激励を送信するためのコントロール、或いはその他の社会的コントロール又は相互作用機能を提供することができる。また、患者の家族、友人及び同僚が別のアプリケーションを利用できるようにすることもできる。このアプリケーションは、ユーザが患者に激励又はメッセージを送信できるようにするとともに、患者が許可した進展状況の更新又はその他の運動情報を表示することもできる。これらのアプリケーション及び機能は、理学療法又はリハビリテーションの目標及び目的に対する努力を継続するように患者を励ますのに役立つことができる。
【００９１】
図２３は、友人を理学療法に含める方法の一実施形態を示す。ステップ２３０２において、患者装置に１人又は２人以上の友人を入力するように患者に指示する。ステップ２３０４において、１人又は２人以上の友人に接続メッセージを送信してこれらの友人を患者の友人ネットワークに接続する。ステップ２３０６において、患者が１人又は２人以上の友人のうちの少なくとも１人から激励メッセージを受け取る。任意のステップ２３０８において、患者が、１人又は２人以上の友人のうちの少なくとも１人にメッセージ、挑戦状又は進展レポートを送信する。進展レポートは、例えば患者による少なくとも１つの理学療法目標に向けた進展の指標、患者による少なくとも１つの理学療法運動の成果の指標、或いは１人又は２人以上の友人のうちの少なくとも１人による少なくとも１つの理学療法運動の成果の指標など、又はこれらのいずれかの組み合わせを含むことができる。
【００９２】
図１７に、コンピュータ又はウェブインターフェイスに適することができるユーザインターフェイス１３９０を示す。図示のユーザインターフェイスは、温度測定値６９２ａ、歩数測定値６９２ｂ、可動域検査６９２ｃ、特定の運動及び検査６９２ｄ、並びに有害事象６９２ｅの結果を表示する領域６９２を含む。これらの結果は、数値情報及び図形情報を含むことができる。これらの結果は、運動実行の成功度を図形的又は数値的に示す（例えば、領域６９２ｄを参照）とともに、（行われた運動反復回数などの）リハビリテーション活動の順守度合いを示すこともできる。このような情報の配置は、患者の進展のモニタリング、進展又は進展不足の識別、（温度の上昇、或いは衝撃又は影響回数の増加などの）懸念事項の識別などを容易にすることができる。
【００９３】
ユーザインターフェイスの１又は２以上のページに表示できる他の情報は、ベースライン及び一定期間にわたる進展を含むあらゆる好適な患者リハビリテーション進展データを含むことができる。例えば、この情報は、座位レッグリフト、ヒールスライド、立位リフト、腹臥位リフトなどの運動のベースライン可動域情報を含むことができる。この情報は、これらの運動の現在の可動域情報を含むこともできる。この情報は、以下に限定するわけではないが、術前及び術後の平均歩調、最大歩調、ストライド角、並びにウォーキング、自転車こぎ、ランニング又は座位活動に費やした時間を含む歩行分析情報を含むこともできる。さらなる情報は、皮膚温、環境温及び温度傾向を含むことができる。ユーザインターフェイスは、患者が転倒した回数又は頻度、或いは他の重要な事象に関する情報を提供することもできる。ユーザインターフェイスは、ベースライン活動、現在の活動、手術後又は理学療法後の一般的活動などを評価するために、ウェアラブル装置又は患者装置のＧＰＳ読み取り値からの情報を提供することもできる。
【００９４】
臨床医装置のユーザインターフェイスを使用して、院内可動域検査を行うこともできる。臨床医装置又は患者装置を使用して、可動域運動のビデオを作成することもできる。
【００９５】
図１８に、臨床医が複数の患者をモニタするためのユーザインターフェイス７９０を示す。領域７９２は、患者名、手術日、センサデータ及び検査結果７９２ａ、有害事象の回数、並びに整形外科インプラントの位置などの情報を含む。臨床医は、手術回数７９４、リハビリテーション成功率７９６、及び総手術回数（例えば、総膝関節置換回数）、特定のリハビリテーション転帰に達するまでの平均時間（例えば、指定可動域に達するまでの平均時間）などの他の好適な情報を追跡することもできる。
【００９６】
図１９に、臨床医が患者をモニタするための別のユーザインターフェイスを示す。領域８９２は、患者名、性別、手術日、術後日数、測定温度又はその傾向、可動域測定値、活動、歩数、重要な事象、埋め込み部位及びウェアラブル装置の状態などの情報を含む。臨床医は、リハビリテーションの成功回数８９４、ある患者群について時間と共に達成された可動域８９６、及びその他の好適な情報を追跡することもできる。個々の患者記録８９８へのアクセス、患者アラート８９９へのアクセスのためのコントロールを設けることもできる。
【００９７】
少なくともいくつかの実施形態では、本明細書で説明したアプリケーション又はユーザインターフェイスを、患者装置又は臨床医装置がコンテンツプロバイダのサーバにアクセスする際にアクセスできるウェブ又はアプリケーションインターフェイスとすることができる。少なくともいくつかの実施形態では、サーバ又は他のサーバ、或いはメモリ記憶装置が、ウェブインターフェイスのための情報を記憶するとともに、患者識別データ、センサデータ、又はセンサデータから導出された情報、患者又は臨床医のコメントなど、或いはその他のいずれかの好適なデータを含む患者固有の情報を記憶することもできる。少なくともいくつかの実施形態では、患者固有の情報に、患者装置、臨床医装置又はその他の装置からアクセスすることができ、いくつかの実施形態では、情報にアクセスするために認証情報（例えば、ユーザ名又はパスワード、或いはこれらの両方）の提供を必要とすることもできる。
【００９８】
理学療法、リハビリテーション、又は患者の状態に関する情報を計算又は別様に決定するさらなるユーザインターフェイス及び方法は、いずれも２０１７年２月１日に出願された、「ウェアラブル装置を使用して整形外科インプラント及びリハビリテーションをモニタするシステム及び方法（Ｓｙｓｔｅｍｓ  ａｎｄ  Ｍｅｔｈｏｄｓ  ｕｓｉｎｇ  ａ  Ｗｅａｒａｂｌｅ  Ｄｅｖｉｃｅ  ｆｏｒ  Ｍｏｎｉｔｏｒｉｎｇ  ａｎ  Ｏｒｔｈｏｐｅｄｉｃ  Ｉｍｐｌａｎｔ  ａｎｄ  Ｒｅｈａｂｉｌｉｔａｔｉｏｎ）」という名称の米国特許出願第１５／４２２３１２号、及び「関節の理学療法及びリハビリテーションをモニタするためのシステム及び方法（Ｓｙｓｔｅｍｓ  ａｎｄ  Ｍｅｔｈｏｄｓ  ｆｏｒ  Ｍｏｎｉｔｏｒｉｎｇ  Ｐｈｙｓｉｃａｌ  Ｔｈｅｒａｐｙ  ａｎｄ  Ｒｅｈａｂｉｌｉｔａｔｉｏｎ  ｏｆ  Ｊｏｉｎｔｓ）」という名称の米国特許出願第１５／４２２２９９号に記載されており、これらの文献は引用により本明細書に組み入れられる。
【００９９】
本明細書で説明した方法及びシステムは、多くの異なる形で具体化することができ、本明細書に示した実施形態に限定されると解釈すべきはない。従って、本明細書で説明した方法及びシステムは、完全にハードウェアの実施形態、完全にソフトウェアの実施形態、又はソフトウェアとハードウェアの側面を組み合わせた実施形態の形をとることができる。本明細書で参照したシステムは、典型的にはメモリを含み、典型的にはモバイル装置を含む他の装置との通信方法を含む。通信方法は、有線通信方法と無線（例えば、ＲＦ、光、又は赤外線）通信方法の両方を含むことができ、このような方法は、別のタイプのコンピュータ可読媒体、すなわち通信媒体を提供する。有線通信は、ツイストペア、同軸ケーブル、光ファイバ又は導波管など、或いはこれらのいずれかの組み合わせを介した通信を含むことができる。無線通信は、ＲＦ、赤外線、音響、近距離無線通信又はＢｌｕｅｔｏｏｔｈ（登録商標）など、或いはこれらのいずれかの組み合わせを含むことができる。
【０１００】
本明細書に開示したフローチャート図の各ブロック、並びにフローチャート図及び方法のブロックの組み合わせは、コンピュータプログラム命令によって実装することができると理解されるであろう。これらのプログラム命令をプロセッサに与えて機械を生産することで、このプロセッサ上で実行される命令により、本明細書に開示したフロー図の１又は複数のフローチャートブロックに示す動作を実行する手段が生み出されるようにすることができる。これらのコンピュータプログラム命令をプロセッサが実行して、このプロセッサによって実行される一連の動作ステップがコンピュータ実行プロセスを生み出すようにすることができる。これらのコンピュータプログラム命令は、動作ステップの少なくともいくつかが同時に実行されるようにすることもできる。さらに、ステップのいくつかを、マルチプロセッサコンピュータシステムで行われるような形で複数のプロセッサにわたって実行することもできる。また、１又は２以上のプロセスを他のプロセスと同時に、或いは本発明の範囲又は趣旨から逸脱することなく、図示の順序とは異なる順序で実行することもできる。
【０１０１】
コンピュータプログラム命令は、以下に限定するわけではないが、ＲＡＭ、ＲＯＭ、ＥＥＰＲＯＭ、フラッシュメモリ又はその他のメモリ技術、ＣＤ−ＲＯＭ、デジタル多用途ディスク（「ＤＶＤ」）又はその他の光学記憶装置、磁気カセット、磁気テープ、磁気ディスク記憶装置又はその他の磁気記憶装置、或いは所望の情報を記憶するために使用できるとともにコンピュータ装置がアクセスできる他のいずれかの媒体を含むあらゆる好適なコンピュータ可読記憶媒体に記憶することができる。
【０１０２】
上記の明細書は、本発明の製造及び使用を説明したものである。本発明の趣旨及び範囲から逸脱することなく、本発明の多くの実施形態を構成することができ、従って本発明は、以下に添付する特許請求の範囲に従う。
【図１】
2020508722.tif 000003
【図２】
2020508722.tif 000004
【図３Ａ】
2020508722.tif 000005
【図３Ｂ】
2020508722.tif 000006
【図３Ｃ】
2020508722.tif 000007
【図４Ａ】
2020508722.tif 000008
【図４Ｂ】
2020508722.tif 000009
【図４Ｃ】
2020508722.tif 000010
【図４Ｄ】
2020508722.tif 000011
【図５】
2020508722.tif 000012
【図６】
2020508722.tif 000013
【図７】
2020508722.tif 000014
【図８】
2020508722.tif 000015
【図９】
2020508722.tif 000016
【図１０】
2020508722.tif 000017
【図１１】
2020508722.tif 000018
【図１２】
2020508722.tif 000019
【図１３】
2020508722.tif 000020
【図１４】
2020508722.tif 000021
【図１５】
2020508722.tif 000022
【図１６】
2020508722.tif 000023
【図１７】
2020508722.tif 000024
【図１８】
2020508722.tif 000025
【図１９】
2020508722.tif 000026
【図２０】
2020508722.tif 000027
【図２１】
2020508722.tif 000028
【図２２】
2020508722.tif 000029
【図２３】
2020508722.tif 000030
【国際調査報告】
2020508722.tif 000031